Podtech/llm-jp-corpus-v4-ja_patent huggingface dataset:
(57)【要約】      （修正有）【課題】トラツクに組み立てが簡単で強力な力が得られる駆動軸連動圧縮プレスローラをとりつける。【解決手段】トラックの原動機及びミッションの動力を駆動軸にチエン用スプロケットを取り付けチエンにより中間スプロケットを介して下方ローラのスプロケットをまわして、下方ローラの右回転及び左回転ができます。又スクラップをつかむためのグラップリ付クレーンよりスクラップを荷台の上にのせます。次に強力な圧縮力と油圧シリンダーのスムーズなうごきをえるため油圧の取り出し口をＰＴＯの動力では２０馬力ぐらいの強さしかないためトラックの原動機の１８０馬力の強さをミッションを介して油圧オイルポンプをまわしてコントロールバルブにより合計４本の油圧シリンダーを６０ｔぐらいの強力な力でスクラップを圧縮して前後に送ります。又トラックの原動機の馬力は４ｔ車クラスで１８０馬力から２３０馬力のトラックを使用します。【選択図】図１
2004237966.tif 000002
【特許請求の範囲】
【請求項１】
トラックに取り付けた連動圧縮プレスで機械を動かすための動力をトラックのエンジン及び動力伝達装置及び走行装置を利用することにより機械の強さを自由にセットができます。又油圧オイルポンプを大容量オイルポンプを取り付けることができます。
【発明の詳細な説明】
発明が解決しようとする課題
４ｔ〜１１ｔ車のトラックに駆動軸連動圧縮プレスローラを取り付けるため組み立てが簡単で強力な力がえられます。
〔作用〕
エンジンを始動してグラップリ付クレーンのアウトリガー▲１４▼を伸ばします。次にリヤージャッキ▲２０▼を伸ばして駆動軸タイヤ▲１８▼を地上より１００ｍｍぐらいまで上げます。グラップリ付クレーン▲１６▼でスクラップをつかみトラックの荷台▲１７▼にのせて後方によせて、上方ローラ▲２９▼と下方ローラ▲２６▼の間に入れてローラスライド式油圧シリンダー▲３１▼▲３２▼（右側２本）（左側２本）合計４本の油圧シリンダーのメッキロッド▲３４▼▲３５▼（右側２本）（左側２本）合計４本のメッキロッドを伸ばしてスクラップを圧縮した後駆動軸スプロケットをまわして下方ローラ▲２６▼を前後にまわして圧縮したスクラップを前後におくります。
【図面の簡単な説明】
【図１】圧縮プレス機の使用状態（側面図）
【図２】スクラップを圧縮プレスにのせ材料が板状になった状態（側面図）
【図３】トラックのエンジンの駆動軸に油圧オイルポンプを取り付けた状態（側面図）
【図４】グラップリ付クレーン及び圧縮プレス機の（上面図）
【符号の説明】
▲１▼ラジエーター
▲２▼ファン
▲３▼エンジン
▲４▼フレーム
▲５▼前アウトリガー
▲６▼後アウトリガー
▲７▼コントロールバルブ
▲８▼作動油タンク
▲９▼セルモータ
▲１０▼プロペラシャフト
▲１１▼オイルポンプ
▲１２▼低圧側ホース
▲１３▼高圧側ホース
▲１４▼クレーンアウトリガー
▲１５▼グラップリ付クレーン
▲１６▼スクラップつかみ
▲１７▼スクラップのせ用荷台
▲１８▼駆動軸タイヤ
▲１９▼駆動軸スプロケット（小）
▲２０▼リヤアウトリガー
▲２１▼ローラ駆動用チエン
▲２２▼スプロケット大
▲２３▼スプロケット小
▲２４▼ローラ駆動用チエン
▲２５▼下方ローラベアリング
▲２６▼下方ローラ
▲２７▼前支柱
▲２８▼後支柱
▲２９▼上方ローラ
▲３０▼上方ローラベアリング
▲３１▼ローラスライド式油圧シリンダー（後）
▲３２▼ローラスライド式油圧シリンダー（前）
▲３３▼補強材
▲３４▼油圧シリンダーのメッキロッド（後）
▲３５▼油圧シリンダーのメッキロッド（前）
▲３６▼下方ローラの軸
▲３７▼スクラップ
▲３８▼アーム
▲３９▼圧縮後のスクラップ
▲４０▼バッテリー
▲４１▼ミッション
▲４２▼上方ローラの軸
【図１】
2004237966.tif 000003
【図２】
2004237966.tif 000004
【図３】
2004237966.tif 000005
【図４】
2004237966.tif 000006
(57)【要約】【課題】移動販売車を小型化にして、狭い道路、狭い場所で移動販売もでき、事故等により破損の自動車及び荷台に乗せたユニット式店舗が別々にして取替も簡単に出来ることを提供する。【解決手段】移動販売車を小型化のトラック荷台の側面開閉扉を取り外し、ユニット式店舗（プレハブ店舗）を乗せて固定、脱着も出来ることで解決手段とした。【選択図】    図２
2004237962.tif 000002
【特許請求の範囲】
【請求項１】
移動販売車は自動車荷台フレーム１に、ユニット式店舗２を自動車荷台フレーム１に脱着出来ることを特徴とする移動販売車。
【請求項２】
移動販売車のユニット式店舗２の内部に陳列台３と貯水タンク４、調理台５、排水タンク６、換気扇７、発電機８、ガスボンベ９等を設けたことを特徴とする移動販売車。
【請求項３】
移動販売車のユニット式店舗２は四側面スライド窓１０を設けたことと、上部屋根等に拡声器１１と照明器１２を設けたことを特徴とする移動販売車。
【発明の詳細な説明】
【０００１】
【発明の属する技術分野】
本発明は移動販売車に関する。
【０００２】
【従来の技術】
従来、移動販売車は自動車荷台フレームを改良構造店舗にし、固定して取付ける技術であり、不利な点が多い。
【０００３】
【発明が解決しようとする課題】
しかしながら、移動販売車は荷台フレームをユニット式店舗にすることで脱着ができ、移動販売自動車又はユニット式店舗が交換出来ることを課題提供することにある。
【０００４】
【課題を解決するための手段】
移動販売車はトラック型自動車の荷台ボディーの側面開閉扉を取り外し、荷台乗せ台の上にユニット式店舗を乗せ脱着もでき、荷台ボディーとユニット式店舗柱を固定、板を設け、ボルトで止め付けることで上記課題を解決する。
【０００５】
【実施例】
本発明の移動販売車は、図１に示されるように、トラック型自動車の荷台ボディーの側面開閉扉を取り外し、荷台乗せ台の上に、ユニット式店舗を乗せ脱着も出来るように取付、板とボルトで固定する。
【０００６】
ユニット式店舗は、内部に陳列台、貯水タンク、調理台、排水タンク、換気扇、発電機、ガスボンベ等を設けられて営業への事項とする。
【０００７】
ユニット式店舗は左右後方側面をガラス等スライド窓にし、上部屋根等に拡声器と照明器等が設けられる。
【０００８】
【発明の効果】
本発明は移動販売車を小型化にして、狭い道路、狭い場所でも移動販売ができ、移動販売車が事故等により破損した時、自動車の取替か、ユニット式店舗の取替が出来ることで、修理代の安上がりと修理期間も早く、営業も早く出来る効果がある。
【図面の簡単な説明】
【図１】本発明に係る移動販売車の概観図である。
【図２】本発明に係る移動販売車の荷台に乗せられるユニット式店舗に係る内部の概観図である。
【符号の説明】
１        自動車荷台フレーム
２        ユニット式店舗（小型ハウス）
３        陳列台（脱着構造である）
４        貯水タンク
５        調理台
６        排水タンク
７        換気扇
８        発電機
９        ガスボンベ
１０      ユニット式店舗スライド窓（開閉窓）
１１      拡声器
１２      照明器
１３      荷台フレームとユニット式店舗を固定する板
１４      ボルト
１５      人の出入扉
１６      自動車
【図１】
2004237962.tif 000003
【図２】
2004237962.tif 000004
【手続補正書】
【提出日】平成15年9月3日(2003.9.3)
【手続補正１】
【補正対象書類名】明細書
【補正対象項目名】請求項３
【補正方法】変更
【補正の内容】
【請求項３】
移動販売車のユニット式店舗２は四側面の一部分にスライド窓１０を設けたことと、屋根部等に拡声器１１と照明器１２を設けたことを特徴とする移動販売車
【手続補正２】
【補正対象書類名】明細書
【補正対象項目名】０００７
【補正方法】変更
【補正の内容】
【０００７】
ユニット式店舗は左右前後方側面の一部をガラス等スライド窓にし、屋根部等に拡声器と照明器等が設けられる


【手続補正３】
【補正対象書類名】図面
【補正対象項目名】全図
【補正方法】変更
【補正の内容】
【図１】
2004237962.tif 000005
【図２】
2004237962.tif 000006
(57)【要約】［課題］      夜間自転車の走行が明るい場所や  遠方から良く見え確認できる  ＬＥＤ発光点灯する自転車用安全灯の提供です。［解決手段］  車輪の左右両側面から見える構造のＬＥＤ発光安全照明灯を造り  車輪スポーク部分に取り付け固定します。ＬＥＤが点灯し車輪が回転すると  大きい光の輪の照明灯になり  明るい場所や遠方から良く見えます。【選択図】    図２
2004237965.tif 000002
【特許請求の範囲】
【請求項１】
電池・ＬＥＤ・ＬＥＤ発光制御回路を一体にし防水ケースに収納した構造で  発光色  赤・緑・青・白色のＬＥＤを組み合わせて点灯し点灯光が車輪の左右両側面から見える構造で  自転車の車輪スポーク部分に取り付け固定して使用する  自転車の車輪取り付けＬＥＤ発光安全照明灯。
【発明の詳細な説明】
【０００１】
［発明の属する技術分野］
本発明は、自転車の車輪スポーク部分にはめ込み取り付け固定する構造の  ＬＥＤ（発光ダイオード）発光点灯する  自転車用安全灯に関する。
【０００２】
［従来の技術］
従来市販されている安全照明灯は、懐中電灯方式で自転車の車体に取り付ける構造なので  光が点光源になり視認角度が狭く  明るい場所では回りの光に消され目立たず  遠方からは良く見えないので  安全灯として適していない。
【０００３】
［発明が解決しょうとする課題］
夜間自転車に乗っている人が安全走行できる様  自転車に簡単に取り付けられ明るい場所や遠方からでも  光が良く見える安全灯の開発である。
【０００４】
［課題を解決する手段］
本発明は、ＬＥＤ発光安全照明灯を自転車の車輪スポーク部分に取り付ける構造に造り  ＬＥＤを点灯し車輪が回転すると  左右両側面からは大きい光の輪の照明となり  遠方からでも良く見えるようにしました。
【０００５】
［発明の実施の携帯］
ＬＥＤ・点灯制御回路・電池・スイッチを一体にして防水構造のケースに入れ自転車の車輪スポーク部に取り付け固定します、ＬＥＤが点灯し車輪が回転したとき  自転車の左右両側面から大きい光の輪に見える構造にしました。
取り付けは車輪のスポーク間に挟み込み固定します。
【０００６】
［発明の効果］
ＬＥＤ安全照明灯を車輪に固定しＬＥＤに通電し  車輪が回転すると大きい光の輪になり  明るい場所や遠方からでも良く見え  夜間自転車走行時の安全灯として信頼の高い照明灯になりました。
【図面の簡単な説明】
【図１】本発明の全体外観斜図
【図２】本発明の車輪取り付け図
【図３】本発明のＬＥＤ点灯制御回路図
【図１】
2004237965.tif 000003
【図２】
2004237965.tif 000004
【図３】
2004237965.tif 000005
(57)【要約】【課題】水田中に含まれる有害なカドミウムを効果的に捕捉し除去する。【解決手段】水田１中の遊離したカドミウムをタンニン含有タンク３に流入させてカドミウムを除去し、次に消石灰溶液タンク４に流入させてアルカリ域で凝集沈殿するカドミウムを除去した後、処理水を中空糸フィルタ６で濾過する。【選択図】図１
2004237138.tif 000002
【特許請求の範囲】
【請求項１】
水田中の遊離したカドミウムをタンニン含有タンクに流入させてカドミウムを除去し、次に消石灰溶液タンクに流入させてアルカリ域で凝集沈殿するカドミウムを除去した後、処理水を中空糸フィルタで濾過することを特徴とする水田中のカドミウム除去方法。
【発明の詳細な説明】
【０００１】
【発明の属する技術分野】
本発明は、水田中に含まれる有害なカドミウムを除去するための方法に関する。
【０００２】
【従来の技術】
水田には有害な重金属であるカドミウムを含有する場合がある。昨年の国の調査によれば、水田の４１１カ所中３３カ所の場所で０．４ｐｐｍ〜１．０ｐｐｍのカドミウムが検出され、未だ８０００ｈａの水田が汚染していると言われ、昨年の生産米のうち１７００トンがこのため食用にはせず（合板用糊剤として利用されているが外国製品に押され在庫超となっている）、国が買い上げている。
【０００３】
日本のカドミウム含有基準は、１ｐｐｍとしているが、最近０．２ｐｐｍに国際基準化されつつあり、こうなると日本の生産米のうち３０万トンが基準以上となり、廃棄物となってしまう。
【０００４】
従来、この有害なカドミウムの除去には、アルカリを田畑に蒔き不溶化する方法や採られているが、中性から酸性域になると再び溶出すると考えられている。また、土壌のガラス化、除去・置換などの方法もとられているが、これらの方法は膨大な費用がかかり過ぎるため、一般農家、市町村自治体では実施困難な場合が多い。
また、下記の特許文献１には、重金属を含む排水にタンニン含有樹木のチップ、木粉、樹皮等を添加する方法が開示されている。
【０００５】
【特許文献１】特開平５−２７７４６７号公報
【０００６】
【発明が解決しようとする課題】
しかしながら、上記特許文献１の方法は、例えば水田中の有害なカドミウムをいかにして除去するかの具体的方法については解決されていない。
本発明は、上記課題を解決するものであって、水田中に含まれる有害なカドミウムを効果的に捕捉し除去することができる方法を提供することを目的とする。
【０００７】
【課題を解決するための手段】
そのために本発明の水田中のカドミウム除去方法は、水田中の遊離したカドミウムをタンニン含有タンクに流入させてカドミウムを除去し、次に消石灰溶液タンクに流入させてアルカリ域で凝集沈殿するカドミウムを除去した後、処理水を中空糸フィルタで濾過することを特徴とする。
【０００８】
【発明の実施の形態】
以下、本発明の実施の形態を図面を参照しつつ説明する。図１は、本発明の水田中のカドミウム除去方法の１実施形態を示す模式図である。
図１において、水田１には、土壌からカドミウムが放出される条件下（酸性から中性域）でカドミウムが遊離されている。このカドミウムを含有する水を、ポンプ２により、タンニン含有タンク３に流入させる。このタンニン含有タンク３内には、タンニン含有量の多い、モリシマアカシヤ、エゾヤナギなどの樹皮が網目袋３ａ内に充填されている。なお、ヒバ、スギ、ヒノキ、カラマツの樹皮であっても効果がある。
【０００９】
タンニン含有タンク３でカドミウムが除去されたオーバーフロー水は、消石灰溶液タンク４に流入させる。消石灰溶液タンク４には石灰添加装置５から消石灰が添加され、消石灰飽和溶液が１／１０〜１／１００まで希釈した濃度に調整されている。ここでは、アルカリ域で凝集沈殿するカドミウムを除去する。
【００１０】
消石灰溶液タンク４での処理水には、不活性なカドミウム含有の懸濁物質があり、これを中空糸フィルタ６にて濾過する。中空糸フィルタ６はポリエステル系ポリマーアロイ膜が好適であり、これにより微粒子を完全に除去することができる。以上のようにして清浄化された水を水田に戻す。
【００１１】
以上、本発明の実施の形態について説明したが、本発明はこれに限定されるものではなく、種々の変更が可能である。例えば、上記実施形態においては、水田を対象としているが、畑の灌水、河川水の浄化にも適用可能である。
【００１２】
【発明の効果】
以上の説明から明らかなように、本発明によれば、水田中に含まれる有害なカドミウムを効果的に捕捉し除去することができる。
【図面の簡単な説明】
【図１】本発明の水田中のカドミウム除去方法の１実施形態を示す模式図である。
【符号の説明】
１…水田、３…タンニン含有タンク、４…消石灰溶液タンク
６…中空糸フィルタ
【図１】
2004237138.tif 000003
(57)【要約】【課題】水田土壌や河川底土壌などに含まれる有害な重金属を効果的に捕捉する。【解決手段】土壌２の一部に埋設される網目袋３と、該網目袋内に充填される樹皮解砕体４とを備え、前記樹皮解砕体４が重金属捕捉機能を有する樹皮を解砕したものである重金属捕捉用網目袋。【選択図】図１
2004237137.tif 000002
【特許請求の範囲】
【請求項１】
土壌の一部に埋設される網目袋と、該網目袋内に充填される樹皮解砕体とを備え、前記樹皮解砕体が重金属捕捉機能を有する樹皮を解砕したものであることを特徴とする重金属捕捉用網目袋。
【発明の詳細な説明】
【０００１】
【発明の属する技術分野】
本発明は、水田土壌や河川底土壌などに含まれる有害な重金属を捕捉するための網目袋に関する。
【０００２】
【従来の技術】
水田土壌や河川底土壌には有害な重金属を含有する場合がある。昨年の国の調査によれば、水田土壌の４１１カ所中３３カ所の場所で０．４ｐｐｍ〜１．０ｐｐｍのカドミウムが検出され、未だ８０００ｈａの水田土壌が汚染していると言われ、これら水田から収穫された米は廃棄処分か食料、肥料以外の利用とされ莫大な被害を被っている。
【０００３】
従来、この有害な重金属の除去には、キレートによる不溶化、土壌のガラス化、除去・置換などの方法がとられているが、これらの方法は膨大な費用がかかり過ぎるため、一般農家、市町村自治体では実施困難な場合が多い。
また、下記の特許文献１には、重金属を含む排水にタンニン含有樹木のチップ、木粉、樹皮等を添加する方法が開示されている。
【０００４】
【特許文献１】特開平５−２７７４６７号公報
【０００５】
【発明が解決しようとする課題】
しかしながら、上記特許文献１の方法は、例えば水田土壌の有害な重金属をいかにして除去するかの具体的方法については解決されていない。
本発明は、上記課題を解決するものであって、水田土壌や河川底土壌などに含まれる有害な重金属を効果的に捕捉することができる重金属捕捉用網目袋を提供することを目的とする。
【０００６】
【課題を解決するための手段】
そのために本発明の重金属捕捉用網目袋は、土壌の一部に埋設される網目袋と、該網目袋内に充填される樹皮解砕体とを備え、前記樹皮解砕体が重金属捕捉機能を有する樹皮を解砕したものであることを特徴とする。
【０００７】
【発明の実施の形態】
以下、本発明の実施の形態を図面を参照しつつ説明する。図１は、本発明の重金属捕捉用網目袋の１実施形態を示す模式である。なお、本実施形態は、水田土壌に適用するものであるが、河川底土壌などにも適用可能である。
【０００８】
図１において、水田１の土壌２中に網目袋３の一部（１／３程度）を埋設する。網目袋３は、２重構造ネットにより切断されにくく、ラッセル編みにより破断箇所の拡大を防げるものとし、十分な耐候性、耐薬品性を保持する樹脂繊維材料からなっている。網目袋３の大きさは使用方法により異なるが、水田用には２０リットル前後が作業性が良く、河川用には１〜３ｍ３の容量とし、網目袋３に吊り紐５により吊りリング６を設けておく。
【０００９】
網目袋３内には、重金属捕捉機能のある樹皮を解砕した樹皮解砕体４を充填する。重金属捕捉機能のある樹皮としては、タンニン含有量の多い、モリシマアカシヤ、エゾヤナギなどが最適であるが、ヒバ、スギ、ヒノキ、カラマツであっても効果がある。樹皮解砕体４は、網目袋３の網目から漏れない程度で、最小の大きさに解砕する方が、表面積が大きく重金属の捕捉効果が高い。樹皮解砕体４には、粘土鉱物やゼオライト、活性炭、炭等を粉体として混入しておくと効果が高くなる。タンニンは水溶性であるため、この流出を防ぐ効果がある。
【００１０】
水田１の土壌２中に網目袋３を１／３程度埋設して放置しておくと、網目袋３内の樹皮解砕体４を通して土壌２中の水分が上がる際、重金属が樹皮解砕体４中に遊離し吸着される。網目袋３上部は水が毛管現象で頂部まで上がり、この気相部分で乾燥するため、土壌中の水分は長期にわたって徐々に樹皮解砕体４中を通過し、土壌中の重金属を取り除くことができる。
【００１１】
本発明の網目袋３をカドミウム１ｍｇ／リットルに調整した水溶液に入れ攪拌し、１週間放置した後のカドミウム濃度は、０．１ｍｇ／リットルにまで低下し捕捉効果が確認された。
【００１２】
【発明の効果】
以上の説明から明らかなように、本発明によれば、土壌の一部に埋設される網目袋と、該網目袋内に充填される樹皮解砕体とを備え、前記樹皮解砕体が重金属捕捉機能を有する樹皮を解砕したものであるため、水田土壌や河川底土壌などに含まれる有害な重金属を効果的に捕捉することができる。
【図面の簡単な説明】
【図１】本発明の重金属捕捉用網目袋の１実施形態を示す模式図である。
【符号の説明】
１…水田、２…土壌、３…網目袋、４…樹皮解砕体
【図１】
2004237137.tif 000003
(57)【要約】【課  題】鏡部耐火物が保持炉内側へ迫り出してくるのを抑制して、安定した操業を維持できる保持炉を提供する。【解決手段】溶融した銅を貯留する保持炉であって、鏡部耐火物の炉内表面を球面とする。【選択図】        図１
2004237307.tif 000002
【特許請求の範囲】
【請求項１】
溶融した銅を貯留する保持炉であって、鏡部耐火物の炉内表面を球面とすることを特徴とする保持炉。
【請求項２】
前記鏡部耐火物の炉内表面の半径ｒ（ｍｍ）が、前記胴体部耐火物の炉内表面の半径Ｒ（ｍｍ）に対して、４Ｒ≦ｒ≦２０Ｒを満足することを特徴とする請求項１に記載の保持炉。
【発明の詳細な説明】
【０００１】
【発明の属する技術分野】
本発明は、シャフト炉で溶融した銅を一時的に貯留する保持炉に関するものである。
【０００２】
【従来の技術】
シャフト炉で溶融した銅を一時的に貯留する保持炉は、円筒形状のものが広く使用されている。図２は、従来の保持炉の例を模式的に示す断面図である。保持炉には溶融した銅を貯留するので、保持炉を形成する金属製の炉体外殻１の内側に耐火物が内張りされている。ここでは、円筒状の胴体部に内張りされる耐火物を胴体部耐火物２とし、側壁部（いわゆる鏡部）に内張りされる耐火物を鏡部耐火物３とする。
【０００３】
胴体部耐火物２の上部には貫通孔が２ケ所に設けられ、一方はバーナー口４、他方は放風口５として使用して、保持炉内の温度制御を行なう。
従来から知られている保持炉では、図２に示すように、鏡部耐火物３の炉内表面は平面であった（たとえば特許文献１参照）。しかし、このように鏡部耐火物３の炉内表面が平面であると、溶融した銅を保持炉内に貯留することによって鏡部耐火物３が高温に曝され、鏡部耐火物３が保持炉内側へ迫り出してくる。
【０００４】
つまり保持炉内が高温であるので、鏡部耐火物３の炉内表面近傍の温度が上昇して、鏡部耐火物３が膨張する。一方、炉体外殻１近傍の鏡部耐火物３は、温度が比較的低いのでほとんど膨張しない。その結果、鏡部耐火物３の炉内表面近傍と炉体外殻１近傍の熱膨張量に差が生じて、鏡部耐火物３が保持炉内側へ迫り出してくるのである。このようにして鏡部耐火物３が保持炉内側へ迫り出してくると、鏡部の強度が低下して炉体外殻１が変形するばかりでなく、鏡部耐火物３の損耗や炉内容積の減少等が生じて、保持炉の操業に支障をきたす。
【０００５】
そこで、保持炉を安定して操業するために、鏡部耐火物３が保持炉内側へ迫り出してくるのを抑制する必要がある。
【０００６】
【特許文献１】
特開２０００−７１０６２号公報
【０００７】
【発明が解決しようとする課題】
本発明は上記のような問題を解消し、鏡部耐火物が保持炉内側へ迫り出してくるのを抑制して、安定した操業を維持できる保持炉を提供することを目的とする。
【０００８】
【課題を解決するための手段】
本発明は、溶融した銅を貯留する保持炉であって、鏡部耐火物の炉内表面を球面とする保持炉である。
前記した発明においては、好適態様として、鏡部耐火物の炉内表面の半径ｒ（ｍｍ）が、胴体部耐火物の炉内表面の半径Ｒ（ｍｍ）に対して、４Ｒ≦ｒ≦２０Ｒを満足することが好ましい。
【０００９】
【発明の実施の形態】
図１は、本発明の保持炉の例を模式的に示す断面図である。保持炉の円筒状の胴体部には胴体部耐火物２が内張りされ、鏡部には鏡部耐火物３が内張りされる。胴体部耐火物２の上部にはバーナー口４と放風口５が設けられ、保持炉内の温度制御を行なう。本発明では、胴体部耐火物２と鏡部耐火物３の種類は、特定の材質に限定しないが、耐熱性および耐食性に優れたＳｉＣ系耐火れんがを使用するのが好ましい。
【００１０】
鏡部耐火物３の炉内表面を球面とする。このような保持炉に溶融した銅を貯留すると、熱膨張により鏡部耐火物３が保持炉内側へ迫り出してくるのを抑制できる。
なお、鏡部耐火物３の炉内表面（すなわち球面）の半径ｒ（ｍｍ）が、胴体部耐火物２の炉内表面（すなわち円筒）の半径Ｒ（ｍｍ）に対して、４Ｒ未満では、鏡部耐火物３の熱膨張により鏡部の周辺部のれんがが迫り出し、崩落する危険性がある。また、ｒを小さくし過ぎると、バック材６の厚さが薄くなり、断熱効果が小さくなって炉体外殻が変形する恐れがある。一方、  鏡部耐火物３の炉内表面の半径ｒ（ｍｍ）が、胴体部耐火物２の炉内表面の半径Ｒ（ｍｍ）に対して、２０Ｒを超えると、鏡部耐火物３の炉内表面が平面に近づくので保持炉内側へ迫り出してくるのを防止できない。したがって、鏡部耐火物３の炉内表面の半径ｒ（ｍｍ）と胴体部耐火物２の炉内表面の半径Ｒ（ｍｍ）は、４Ｒ≦ｒ≦２０Ｒを満足するのが好ましい。
【００１１】
なお図１には保持炉の両側に形成される鏡部耐火物３の炉内表面を、両方とも球面にする例を示したが、本発明では片方の鏡部耐火物３の炉内表面を平面にしても良い。
【００１２】
【実施例】
シャフト炉を用いて銅を溶解した後、  図１に示す保持炉に溶融した銅を貯留し、さらに鋳型に送給して型銅を製造した。胴体部耐火物２と鏡部耐火物３にはＳｉＣ系耐火れんがを使用した。鏡部耐火物３の厚さは１１４ｍｍ  とし、炉内表面の半径ｒを３６００ｍｍとした。胴体部耐火物２の厚さは１１４ｍｍ  とし、炉内表面の半径Ｒを８００ｍｍ  とした。これを発明例とする。
【００１３】
一方、  従来は、銅の溶解から型銅の製造までの一連の工程を操業するにあたって、図２に示す保持炉を使用していた。なお、使用した保持炉の鏡部耐火物３の厚さ，胴体部耐火物２の厚さおよび炉内表面の半径Ｒは発明例と同一である。胴体部耐火物２と鏡部耐火物３にはＳｉＣ系耐火れんがを使用した。これを従来例とする。
【００１４】
発明例と従来例について、保持炉を補修して操業を開始した後、次に補修を行なうまでの期間（以下、保持炉の寿命という）を調査した。その結果、発明例では保持炉の寿命が約  ３．５年であったのに対して、従来例の保持炉の寿命は約２年であった。
このようにして本発明の保持炉を使用することによって、安定した操業を長期間にわたって維持できることが確かめられた。
【００１５】
【発明の効果】
本発明によれば、保持炉の鏡部耐火物が内側へ迫り出してくるのを抑制して、安定した操業を維持できる。
【図面の簡単な説明】
【図１】本発明の保持炉の例を模式的に示す断面図である。
【図２】従来の保持炉の例を模式的に示す断面図である。
【符号の説明】
１  炉体外殻
２  胴体部耐火物
３  鏡部耐火物
４  バーナー口
５  放風口
６  バック材
【図１】
2004237307.tif 000003
【図２】
2004237307.tif 000004
(57)【要約】製品の相対向する部品を、対向しで設けた装置で同時に成形し、次の工程で併合して完成する装置である。【特許請求の範囲】
【請求項１】
対向して設けた装置で、製品の対向する部分を同時に成形し、次工程でそれを併合して製品化するようにした製造装置
【請求項２】
真空成形装置で成形してする請求項１の装置
【請求項３】
真空成形以外の成形法でする請求項１の装置
【請求項４】
金属板をプレス成形してする請求項１の装置
【請求項５】
成形品に収納物を成形途上で入れてする請求項１の装置
【発明の詳細な説明】
【０００１】
【産業上の利用分野】
【０００２】機械装置に関するものである。
【従来の技術】
【０００３】併合して１つの製品となるものも各別に作っている。
【発明が解決しようとする問題点】上記のようなものを１つの流れで同時に作り製品化することが出来ないか？
【０００４】
【構造】製品の対抗する部分を製造する装置を対向して設け、各部品を同時に成形し、次工程以下でそれを併合して製品化するようにしたものである。
【０００５】
【作用】従って製作の途中では整理、運搬、組合せ等を全く必要としない。
【０００６】
【実施例】この実施例は小生保有の「特許第３３４５６０８号機構的おしめ」本体の製造装置である。
図１はおしめ本体の平面図、図２は同縦断面図で、１は男茎の鞘とコウガンを覆う凹部を有する褌型の体側部、２は排尿を受けるカバーを示す。両者を接着して本体が完成する。図３はその製造装置の側面より見た説明図である。図において３は素材、本例では発泡ポリエチレンシート（以下素材と略称する）、４は面型ヒーター（以下面ヒーターと略称）で、素材３を成形に必要な適温に加熱軟化する。５は真空槽、６は体側部のオス型、７はカバーのメス型でそれぞれ対向する真空槽表面に図のように取りつける。図４の８はガイドロールでベルト９を保持して回転すると共に、左右に移動可能とし、加熱や成形に必要な位置に素材３を保持して移動する。その各上下に付けた一対の旋回するベルト９は、素材３を保持して、加熱・成形の際、素材が変形して外れるのを防ぎ、又真空成形のさいは素材を真空槽に密着させ空気洩れを防ぐ。成形が終わると素材３を型から外し、次工程に送る作用と次の素材を引き出す作用を同時に行う。この作動を確実にするため、ベルト９に突起又は針を植える。次工程では成形されたカバーの底周辺を、それと相似形にしたヒーター１０で接着可能な温度まで加熱し、ヒーター１０を上か下に素材外に外して、その工程で左右接合するか、次工程でオス型で成形された体側部１にカバー２を接着して内袋が完成する。接着には図２に類似した装置が必要な事は勿論である。本例では接着としたが、併合には蓋・栓・抱き合わせ等がある。次工程以下はカバーと完成した本体の切取りと不用部分の巻取りで説明を略す。
真空成形以外の方法でも対向して設ければ効果は同じである。対向方向を変え成形ラインに完成後収納すべき内容品の投入装置を付設するれば、そのためのラインは不要となる。又本実施例では左右配置であるが、上下、垂直等の配置も可能であり、特に垂直の場合工場面積の有効利用が可能となる。
【図面の簡単な説明】
【図１】おしめの平面図
【図２】おしめの縦断面図
【図３】実施例での機械装置の配置と操作の流れを示したものである。
【図４】素材の移動や送りをするガイド装置
【符号の説明】
１  男茎の鞘
２  尿受けのカバー
３  素材
４  面ヒーター
５  真空槽
６  オス型
７  メス型
８  ガイドロール
９  ベルト
１０  ヒータ
【図１】
2004237358.tif 000002
【図２】
2004237358.tif 000003
【図４】
2004237358.tif 000004
【図３】
2004237358.tif 000005
(57)【要約】【課題】ゲインを極端に上げることは、メカ系に衝撃を与える、或いは大きなパワーを要する等の欠点を解消する。【解決手段】目標位置と現在位置とに基づいて位置指令を演算し、位置指令により駆動する駆動装置を備えるロボットの制御方法において、位置指令と現在位置との移動距離を求め（Ｓ２）、移動距離がロボットの最小動作可能距離より大きい場合には、ロボットを目標位置へ移動させ（Ｓ３）、移動距離が最小動作可能距離より小さい場合には、移動距離が大きくなるように経由位置を演算し（Ｓ４）、ロボットを経由位置に移動させた後に（Ｓ５）、目標位置へ移動させる（Ｓ６）。【選択図】    図１
2004237384.tif 000002
【特許請求の範囲】
【請求項１】
目標位置と現在位置とに基づいて位置指令を演算し、前記位置指令により駆動する駆動装置を備えるロボットの制御方法において、
前記位置指令と前記現在位置との移動距離を求め、
前記移動距離が前記ロボットの最小動作可能距離より大きい場合には、前記ロボットを前記目標位置へ移動させ、
前記移動距離が前記最小動作可能距離より小さい場合には、前記移動距離が大きくなるように経由位置を演算し、前記ロボットを前記経由位置に移動させた後に、前記目標位置へ移動させることを特徴とするロボットの動作制御方法。
【発明の詳細な説明】
【０００１】
【発明の属する技術分野】
本発明は、ロボットの移動距離が小さい場合の制御方法に関する。
【０００２】
【従来の技術】
微小量動作を電気的分解能で制限される値まで近づけるため、サーボ系の位置ループ、速度ループ両方或いは一方のゲイン調整や通常量動作時と異なる制御方式（例えば、微小動作時のみゲインを上げる等）にて対応していた（例えば、特許文献１参照）。
【０００３】
【特許文献１】特開平５−１５４７８１号公報
【０００４】
【発明が解決しようとする課題】
ところが、従来技術では、大きなメカロスを持つ系に対しては効果が少なかった。又、ゲインを極端に上げることは、メカ系に衝撃を与える或いは大きなパワーを要する等の欠点があった。
そこで本発明は、簡単に、微小量の位置移動を達成することを目的とする。
【０００５】
【課題を解決するための手段】
上記の問題を解決するために本発明は、目標位置と現在位置とに基づいて位置指令を演算し、前記位置指令により駆動する駆動装置を備えるロボットの制御方法において、前記位置指令と前記現在位置との移動距離を求め、前記移動距離が前記ロボットの最小動作可能距離より大きい場合には、前記ロボットを前記目標位置へ移動させ、前記移動距離が前記最小動作可能距離より小さい場合には、前記移動距離が大きくなるように経由位置を演算し、前記ロボットを前記経由位置に移動させた後に、前記目標位置へ移動させることを特徴とするものである。
【０００６】
【発明の実施の形態】
以下、本発明の実施例を（図１）に基いて説明する。
Ｓ１では、まず目標位置の位置指令が入力される。この目標位置の位置指令は、上位の制御ブロック（図示しない）によって、生成される。
Ｓ２では、Ｓ１で作成された目標位置と現在のロボットの目標位置との差を演算し、移動距離を算出する。
Ｓ３では、Ｓ２で算出した移動距離とロボットが実際に動作可能な最小動作可能距離を比較する。ここで、移動距離がロボットの最小動作可能距離より大きい場合には、目標位置へロボットを移動するように、Ｓ２で算出した移動距離を駆動装置に指令して動作させる（Ｓ６）。
Ｓ４では、移動距離がロボットの最小動作可能距離より小さい場合には、ロボットの動作可能距離より大きい地点に経由位置を作成する。
Ｓ５では、Ｓ４で作成された経由位置へロボットを移動させる。
Ｓ６では、Ｓ５で経由位置へ移動させたロボットをＳ１の目標位置へ移動させる。
【０００７】
次に図２に基づいてロボットの動作を説明する。
例えば、図中のロボットのＰ点位置をＰ１点まで動作させる場合を考える。
簡単のため、ロボットは、回転１軸の軸構成としている。
もし、Ｐ点とＰ１点間の距離Δ＝｜Ｐ〜Ｐ１｜が、実動作分解能ΔＢより小さい場合即ち、  ΔＥ＜Δ＜ΔＢ（但し、ΔＥ；電気的分解能）の時Δの動作指令に対して、最低  δ＝｜ΔＢ−Δ｜だけの誤差が出ることになる。
そこで、Ｐ→Ｏ→Ｐ１（｜Ｐ〜Ｏ｜＞＞ΔＢ）の順に動作させることにより、Ｐ１点でのロボットの位置決め精度を向上させようとするものである。
これまでは、１軸構成のロボットを例に記述したが、多軸構成の場合も同様である。
例えば、Ｎ１〜Ｎｋ軸の合成動作でΔを移動する場合、動作量がΔＢより小さいｍ個の軸の動作量がΔＢより十分大きくなるようなＯ点を決定することを意味する。
【０００８】
【発明の効果】
以上述べたように、本発明によれば、ロボツトの実動作分解能より小さい量を、例えば、微小量の位置修正等、これまでより精度良く（電気分解能に近い量まで）動作させることができ、より高精度の作業に適用できる。
【図面の簡単な説明】
【図１】本発明のフローチャート
【図２】本発明の実施例
【符号の説明】
Ｐ、Ｐ１  位置
【図１】
2004237384.tif 000003
【図２】
2004237384.tif 000004
(57)【要約】［課題］寝たきりのお年寄りで、口をすすぐ力の弱い人の、歯を磨いた後介護人がコップに水を汲み、口をすすぐのは歯を磨くこと以上に苦労する、大変煩わしい作業です、これを簡単に楽らくできるように、解決しようとしたものです。［解決手段］１，歯ブラシのブラシ部分に２、水を噴き出す穴をあけ胴部分に３、水を通をす細長い空胴を作り４、ワンタッチ着脱部品で５、手動ポンプと６、水を入れる容器と１、歯ブラシをがっちりつなぎ一体化させ固定し、口の中で１，歯ブラシを動かしながら、５、手動ポンプを作動させ水圧を作り、歯ブラシの２、水を噴き出す穴から水を流出させるようにし、簡単に楽らく口のすすぎ洗浄が出来るようにしたものですＡ【選択図】  図１
2004237033.tif 000002
【特許請求の範囲】
【請求項１】
口をすすぐように歯ブラシから水（流体）が流出するようにしたもの。
【発明の詳細な説明】
【００１】
［産業上の利用分野］
病院等で介護をする人の手助けをする、家庭で育児をするお母さんの手助けをする、ようにしたものです。
【００２】
［従来の技術］
従来より歯を磨いた後は、コップ等で水を口に含み、すすぎをするのですが自分の力で口を上手にすすぐ事の出来ない人の、口の中を楽らく簡単に清潔にする技術はなかった。
【００３】
［発明が解決しようとする課題］
自分の力で歯を磨く事の出来ない、病人や幼児は看護婦さんやお母さんに磨いてもらいます、磨き終わった後の口のすすぎは、寝たきりで口をすすぐ力もないお年寄り等の口の中をすすぐのは意外に大変で煩わしい作業です、本発明はそれを手助けしようとするものです。
【００４】
［課題を解決するため手段］
歯ブラシに水を流出させる穴と、その穴に水を送る細長い穴をあけ、接続部品で手動ポンプと水を入れた容器を歯を磨き終わった後、ワンタッチでつなぎ、手動ポンプで水圧をかけ、必要に応じて歯ブラシから水を出し、口の中を楽らく簡単にすすぎ、口の中を洗浄し清潔にする、終わったらワンタッチで手動ポンプと容器を取り外すようにしたものです。
【００５】
［発明実施の形態］
図１の１は歯ブラシ、２は水を噴き出す穴、３は水を通をす細長い空胴、４はワンタッチ着脱部品（ワンタッチで歯ブラシと手動ポンプ、水を入れた容器を着けたり外したりする）５は手動ポンプ、６は水をいれた容器、これらを歯を磨いた後がっちり接続固定し一体化し、歯ブラシを動かしながら、手動ポンプを作動さすだけで、寝たきりで口をすすぐ力の弱いお年寄りや幼児の口のすすぎが、楽らく簡単に出来るようにし、介護する看護婦さんや育児するお母さんの手助けをし、これらの人びとを煩わしい作業を少しでも快適にしようとするものです
【００６】
［発明の効果］
自分の力で歯磨きも口のすすぎも出来ない、介護を必要とするお年寄りや幼児の口のすすぎをするのは、看護婦さんお母さんにとって大変、煩わしい作業でした、これを楽らく簡単に出来るようにし、看護婦さんやお母さんの手助けをする効果は絶大です。
【図面の簡単な説明】
【図１】原理説明の全体図
【符号の説明】
１、  歯ブラシ
２、  水を噴き出す穴
３、  水を通をす細長い空胴
４、  ワンタッチ着脱部品
５、  手動ポンプ
６、  水をいれる容器
【図１】
2004237033.tif 000003
(57)【要約】      （修正有）【課題】手の機能の衰えたお年寄りや手の未発達な幼児等には、トイレットペーパー紙巻器のペーパー切断板の下にある、トイレットペーパーの切り口を取り出すのは、以外に簡単のは出来ないものです，これを簡単に楽らく取りだせるようにしたものです。【解決手段】トイレットペーパー紙巻器のペーパー切断板２に、トイレットペーパー４を指先で回転させる細長い穴３を作り、其の穴に指５を入れ指先を動かし、トイレットペーパーを回転させ、ペーパー切断板の下にある、トイレットペーパーの切り口６を、簡単に引き出し楽らく掴めるようにしたものです。【選択図】  図２
2004237032.tif 000002
【特許請求の範囲】
【請求項１】
トイレットペーパー切断板に、ペーパーを指先で回転させる為の穴をあけたもの。
【発明の詳細な説明】
【００１】
［産業上の利用分野］
病院や幼稚園等に設置し、手の機能の少し衰えた、お年寄りや手の機能の未発達な幼児の手助けをするものです。
【００２】
［従来の技術］
トイレットペーパーの切断板を手で持ち上げ、ペーパーの切り口を取り出していた。
【００３】
［発明の解決しようとする課題］
従来のものは、ペーパー切断板を手で持ち上げ、ペーパーの切り口を掴んで取り出していたが、本発明ではペーパー切断板は其のままで、指先を少し動かすだけで、ペーパーの切り口を、簡単に取り出そうとするものです。
【００４】
［課題を解決するための手段］
トイレットペーパー紙巻器のペーパー切断板に、ペーパーを指先で回転させる為の細長い穴をあけ、ペーパー切断板は其のままで、指先を少し動かすだけで、ペーパーの切り口を取り出すようにしたものです。
【００５】
［発明実施の形態］
図１のトイレットペーパー紙巻器（１）、ペーパー切断板（２）、トイレットペーパーを指先で回転させる細長い穴（３）、トイレットペーパー（４）、の形態ですからトイレットペーパーを回転させる細長い穴（３）に指先を入れ、指先を少し動かしトイレットペーパーを回転させ、図２のトイレットペーパー切り口（６）を、ペーパー切断板の下から取り出し、手に簡単にトイレットペーパーの切り口（６）が掴めるようにしたものです、
図２は図１の一部を拡大した機能説明図です。
【００６】
［発明の効果］
ペーパー切断板の下にある、トイレットペーパーの切り口を、手に簡単かつ楽らく掴めるようになり、手の機能が少し衰えたお年寄りや手の機能の未発な幼児等に、多大に貢献し、大変喜ばれると思います。
【図面の簡単な説明】
【図１】トイレットペーパー紙巻器の全体図です
【図２】図１の一部を拡大した機能説明図です
【符号の説明】
１  トイレットペーパー紙巻器
２  ペーパー切断板
３  トイレットペーパーを指先で回転させる細長い穴
４  トイレットペーパー
５  指先を動かしトイレットペーパー回転させる指
６  トイレットペーパーの切り口
【図１】
2004237032.tif 000003
【図２】
2004237032.tif 000004
(57)【要約】      （修正有）【課題】ナイフを安全に開くことができ、また背金バネ部の破損を防ぐことにより、耐久性が増した折りたたみナイフを提供する。【解決手段】支持点である軸ピン３を従来の位置より後方に配置することにより背金バネ部９の長さを長く、かつ厚くできるようにし、さらに背金バネ部先頭１７の位置を前記軸ピン３より上部に配置することが可能となる。この結果、ナイフを開く時の力がある程度以上になると軸ピン３を中心にして背金バネ部先頭１７が回転運動を起こし、背金ばね部９に必要以上の荷重がかからなくなるので、金属疲労が減少し耐久性が向上する。【選択図】    図１
2004237040.tif 000002
【特許請求の範囲】
【請求項１】
背金の支持位置を後ろにすることにより、使い易く耐久性のある折りたたみナイフ。
【発明の詳細な説明】
【０００１】
【発明の属する技術分野】
この発明は背金バネ部の形状と取り付け位置を改良し開けやすく、背金バネの折れにくい耐久性のある折りたたみナイフの作成方法に関するものである。
【０００２】
【従来の技術】
従来の折りたたみナイフは、長年使用しているうちに背金バネが金属疲労を起こし折れて使用できなくなることが多かった。背金バネ部を堅牢にすると背金バネが固くなりナイフが開けにくくなり、使いにくくなっていた。
【０００３】
【発明が解決しようとする課題】
これは次のような欠点があった。
柔らかく開けやすくするためには背金バネ部を薄くする必要があったが、そうすると背金バネが折れやすくなり、背金バネ部を厚くすると開けにくくなった。また金属疲労によりバネの破損は必然的に生じるものであり、従来の折りたたみナイフにおける欠点であった。
【０００４】
【課題を解決するための手段】
金属疲労を軽減するためには、背金バネ部を厚くし、繰り返し荷重されることによる金属疲労が起こりにくくすることが要求される。このために、本発明においては、支持点を従来の位置より後方に移動することにより、背金バネ部の長さを長くし、厚さを従来の厚さより厚くすることができるようになり、ナイフを開けるときの力がある程度以上になると逃げるような仕組みになっている。その結果ナイフを開ける時の力は少なくてすみ、背金バネの耐久性は従来に比べ格段に向上する。
【０００５】
【発明の実施の形態】
以下、本発明の実施の形態について説明する。
（イ）軸ピン（３）の位置を従来作成されている位置より後ろに下げることにより、背金バネ部を従来に比べ長くできる。またこのことにより、背金バネ部の厚さを厚くすることができる。
（ロ）背金バネ部（９）の先頭は軸ピン（３）より上部にすることができる。このことにより、ナイフを開くときに背金（１）の後方を押すが、ある程度以上押すと軸ピン（３）を中心にして背金バネ部（９）の背金バネ部先頭（１７）は回転運動を起こす。この運動により、背金バネ部（９）には荷重が必要以上にかからなくなり、金属疲労を激減する。また、押す力も少なくてすみ、安全に開くことができるナイフになる。
【０００６】
【発明の効果】
本発明を使用することによって、ナイフを開ける時に少ない力で開けることができ、背金バネの耐力が増したことによって、バネの破損によるナイフの使用ができなくなるという問題を解決する。これはナイフを安全に確実に開けることを意味し、また道具を長く活用するという意味での経済効果も大である。
【図面の簡単な説明】
【図１】本発明のナイフの平面図
【図２】従来のナイフの平面図
【符号の説明】
１  背金
２  軸孔
３  軸ピン
４  止め金
５  軸孔
６  軸ピン
７  軸孔
８  軸ピン
９  背金バネ部
１０  軸孔
１１  ブッシング
１２  軸ピン
１３  係合凸部
１４  係合凹部
１５  刃
１６  ライナー
１７  背金バネ部先頭
【図１】
2004237040.tif 000003
【図２】
2004237040.tif 000004
(57)【要約】【課題】ズボンなどの衣類がハンガーの板バサミからはずれにくい構造で、安心して店のディスプレイなどに使える三叉衣類バサミを提供する。【解決手段】左右の板バサミ（２）の間に中間板（１）を設け、４個の滑り止め（３）でズボンの様な衣類を押さえることを特徴とする。【選択図】図１
2004237038.tif 000002
【特許請求の範囲】
【請求項１】
従来の板バサミに用いられている左右の板（２）の間に、中間板（１）を設け、左右の板（２）が中間板（１）を挟み込む為のバネ（４）を設ける。
【発明の詳細な説明】
【０００１】
【発明の属する分野】
この発明は、衣類用ハンガーなどに付いている板バサミを、衣類との接点を増やす事により、衣類の滑り落ちを抑える板バサミに関する物である。
【０００２】
【従来の技術】
従来の板バサミは吊るす物との接点が２箇所であり、ジーンズなど重量の重い物や滑りやすい生地の物を吊るすと落ちやすかった。
【０００３】
【発明が解決しようとする課題】
これは次の様な欠点があった。
（イ）一つの板バサミが衣類を押さえる接点は２箇所であり、重量の重たいジーンズや滑りやすい生地の場合落ちてしまう。
（ロ）一つの板バサミが衣類を押さえる接点は２箇所であり、挟む力を強めると衣類に挟んだ跡が残りやすい。
（ハ）衣類店などでディスプレイしていると、お客が触るので更に落ちやすい。
本発明は、これらの欠点を解決する為に発明されたものである。
【０００４】
【課題を解決する為の手段】
板バサミの左右の板（２）の間に、中間板（１）を設ける。
左右の板（２）が中間板（１）を挟み込む為のバネ（４）を設ける。
左右の板（２）と中間板（１）の先端に滑り止め（３）を設ける。
本発明は、以上のような構成よりなる三叉衣類バサミである。
【０００５】
【発明の実施の形態】
以下、本発明の実施の形態について説明する。
（イ）金属製の板バサミの左右（２）と金属製の中間板（１）を（６）の穴に金属製の棒（５）を通し、一体化する。
（ロ）中間板（１）を通る棒（５）に金属製のバネ（４）を設ける。
（ハ）左右の板（２）と中間板（１）の下部の先端付近にゴム製滑り止め（３）を設ける。中間板（１）は衣類の間に挿しやすくする為に左右の板（２）よりも長めにする。
本発明は以上の様な構造でこれを使用するときは左右の板バサミ（２）のつまみ部（７）を内側に力を加えると、中間板（１）を中心に左右の板バサミ（２）の下部が図２のように開く。
ズボンの様な衣類の二重になっている間に中間板（１）を差し込み外側から左右の板（２）で挟む。
【０００６】
【発明の効果】
ジーンズの様な重たいズボンを吊るしても滑り落ちにくいので、店などのディ
スプレイなどに安心して使える。
【図面の簡単な説明】
【図１】本発明の側面図である。
【図２】本発明の上部つまみ部を押さえた側面図である。
【図３】本発明にズボンを吊るした実施例の斜視図である。
【図４】本発明の中間板とバネの斜視図である。
【符号の説明】
１  中間板
２  左右の板
３  滑り止め
４  バネ
５  棒
６  穴
７  つまみ部
【図１】
2004237038.tif 000003
【図２】
2004237038.tif 000004
【図３】
2004237038.tif 000005
【図４】
2004237038.tif 000006
(57)【要約】【課題】フローリングの床にカーペット等を敷く場合、すべって転倒する危険があるため、すべり止め材を直接カーペットに塗っていたが、カーペットを取り替えるとき新たにすべり止め材を塗りつけるのが面倒だった。【解決手段】面ファスナー１，２の両裏面にすべり止めを設ける。すべり止めにはシリコンを塗布し、１，２の両表面を貼り合わせることにより、両面シリコンのすべり止めシートになり、床とカーペット等の間にいれ使用する。【選択図】図１
2004237035.tif 000002
【特許請求の範囲】
【請求項１】
面ファスナー（代表される商品にマジックテープ、クイックロンがある）の凹凸両裏面、又は生地の裏面にすべり止めを設け、このすべり止めはシリコンを塗布したものであることを特徴とする面ファスナー及び生地。
【発明の詳細な説明】
【０００１】
【発明の属する技術分野】
この発明は、フローリングの床にカーペット、バスマット等を敷いたとき、又は荷物運搬時等に荷台に敷いて用いるすべり止めシートの形状に関する。
【０００２】
【従来の技術】
従来のすべり止めに用いる方法は、図３に示すようにカーペット、バスマット等５の裏面にすべり止め材等６を直接塗布していた。又、製品としてのすべり止め用のマット類もあるが、すべり止めとしての機能が不安定の物が多い。
【０００３】
【発明が解決しようとする課題】
しかしながら、以上の従来技術によれば、洗濯及び取替え等で別の物を敷く場合、新たにすべり止め材を塗布しなければなりません。また、初めからすべり止めを施したマット等を製品として販売する場合は、すべって転倒してしまう等の危険性があるため、より高効果なすべり止めとしての機能が要求されます。
そこで、この発明は面ファスナーにシリコンを塗布させることにより１枚のシートをつくり、床とマット等の間に入れ使用することにより、移動して使用できるより高効果なすべり止めとしての機能を提供することを課題とする。
【０００４】
【課題を解決するための手段】
以上の課題を解決するために、請求項１の発明は、裏面にすべり止めを設け、このすべり止めはシリコンを塗布したものであることを特徴とする面ファスナー及び生地である。
【０００５】
【発明の実施の形態】
この発明の一実施形態を、図１に示す。
面ファスナー１，２の両裏面には、シリコン３を塗布し両面の表を貼り合わせる。
この発明の一実施形態を、図２に示す。
生地４の裏面には、シリコン３を塗布する。
【０００６】
「実施形態の効果」
この実施形態によれば、シリコン３の働きで、図１は両面、図２は片面が非常にすべりにくくなる。
【０００７】
「他の実施形態」
図１、図２共に裁断は自由に出来る為、好きな形にカットして使用できる。
【０００８】
【発明の効果】
以上説明したように、この発明によれば、様々な場所で移動して使用でき、シリコンを塗布しているためすべり止め効果もかなり高くなる。
【０００９】
また、生地の裏面にシリコンを塗布したものは、裏面はすべり止めの他に撥水効果もあるので、テーブルクロス、ランチョンマット、コースターとしても向いている。
【図面の簡単な説明】
【図１、図２】この発明の一実施形態を示す斜視図である。
【図３】従来技術を示す斜視図である。
【符号の説明】
１  面ファスナー凸      ２  面ファスナー凹    ３  シリコン
４  生地                ５  カーペット等      ６  すべり止め材
【図１】
2004237035.tif 000003
【図２】
2004237035.tif 000004
【図３】
2004237035.tif 000005